【手続補正書】
【提出日】平成23年2月18日(2011.2.18)
【手続補正１】
【補正対象書類名】特許請求の範囲
【補正対象項目名】全文
【補正方法】変更
【補正の内容】
【特許請求の範囲】
【請求項１】
特定インクと非特定インクを含む複数のインクを付与するための記録ヘッドの複数回の走査によって記録媒体の単位画素に記録を行うインクジェット記録装置であって、
前記単位画素に付与される各インクの量に関する付与量情報を前記単位画素毎に取得する取得手段と、
前記取得手段により取得した付与量情報に基づいて前記複数回の走査の中で前記単位画素にインクを付与する走査を前記インク毎に決定する決定手段を備え、
前記決定手段は、前記特定インクと前記非特定インクの付与量情報に基づいて前記特定インクを付与する走査を決定し、前記非特定インクの付与量情報に基づいて前記非特定インクを付与する走査を決定することを特徴とするインクジェット記録装置。
【請求項２】
前記決定手段は、（ｉ）前記特定インクと前記非特定インクの付与量情報に基づいて、所定の条件を満たす単位画素を特定し、（ii）特定された所定の条件を満たす単位画素について、前記所定の条件を満たさない単位画素よりも、前記複数回の走査のうち後半の走査で付与される特定インクの割合が高くなるように、前記特定インクを付与する走査を決定することを特徴とする請求項１に記載のインクジェット記録装置。  
【請求項３】
前記所定の条件を満たす単位画素は、前記特定インクと共に前記非特定インクが付与される単位画素であり、前記所定の条件を満たさない単位画素は、前記特定インクが単独で付与される単位画素であることを特徴とする請求項２に記載のインクジェット記録装置。
【請求項４】
前記所定の条件を満たす単位画素は、前記特定インクに対する前記非特定インクの付与割合が所定の割合よりも高い単位画素であり、前記所定の条件を満たさない単位画素は、前記特定インクに対する前記非特定インクの付与割合が所定の割合よりも低い単位画素であることを特徴とする請求項２に記載のインクジェット記録装置。  
【請求項５】
前記所定の条件を満たす単位画素は、前記特定インクに対する前記非特定インクの付与割合が所定の割合よりも高い単位画素であり、前記決定手段は、前記所定の条件を満たす単位画素に関し、前記特定インクに対する前記非特定インクの付与割合が高くなる程、前記後半の走査で特定インクが付与される確率が高くなるように、前記特定インクを付与する走査を決定することを特徴とする請求項２に記載のインクジェット記録装置。
【請求項６】
前記決定手段は、前記所定の条件を満たす単位画素において、前記特定インクが前記非特定インクよりも後の走査で付与されるように、前記特定インクを付与する走査および前記非特定インクを付与する走査を決定することを特徴とする請求項２乃至５のいずれかに記載のインクジェット記録装置。
【請求項７】
前記決定手段は、前記所定の条件を満たす単位画素において、前記複数回の走査で付与される前記特定インクのうち後半の走査で付与される前記特定インクの割合が前記複数回の走査で付与される前記非特定インクのうち前記後半の走査で付与される前記非特定インクの割合よりも高くなるように、前記特定インクを付与する走査および前記非特定インクを付与する走査を決定することを特徴とする請求項２乃至５のいずれかに記載のインクジェット記録装置。
【請求項８】
前記決定手段は、（ｉ）前記特定インクと前記非特定インクの付与量情報に基づいて、所定の条件を満たす単位画素を特定し、（ii）特定された所定の条件を満たす単位画素について、前記所定の条件を満たさない単位画素よりも、前記複数回の走査のうち前半の走査で付与される特定インクの割合が高くなるように、前記特定インクを付与する走査を決定することを特徴とする請求項１に記載のインクジェット記録装置。
【請求項９】
前記決定手段は、前記所定の条件を満たす単位画素において、前記複数回の走査で付与される前記特定インクのうち前半の走査で付与される前記特定インクの割合が前記複数回の走査で付与される前記非特定インクのうち前記前半の走査で付与される前記非特定インクの割合よりも高くなるように、前記特定インクを付与する走査および前記非特定インクを付与する走査を決定することを特徴とする請求項８に記載のインクジェット記録装置。
【請求項１０】
前記特定インクはイエローインクであり、かつ、前記非特定インクはシアンインク、マゼンタインクおよびブラックインクを含むことを特徴とする請求項１乃至９のいずれかに記載のインクジェット記録装置。
【請求項１１】
前記特定インクは透明インクであり、かつ、前記非特定インクは非透明インクであることを特徴とする請求項１乃至９のいずれかに記載のインクジェット記録装置。
【請求項１２】
前記特定インクは、前記非特定インクに比して、耐擦過性に優れることを特徴とする請求項１乃至１１のいずれかに記載のインクジェット記録装置。
【請求項１３】
前記付与量情報は、多値の濃度の情報であることを特徴とする請求項１乃至１２のいずれかに記載のインクジェット記録装置。
【請求項１４】
特定インクを含む複数のインクを付与するための記録ヘッドの複数回の走査によって記録媒体の単位画素に記録を行うインクジェット記録方法であって、
前記単位画素に付与される各インクの量に関する付与量情報を前記単位画素毎に取得する取得工程と、
前記取得工程において取得した付与量情報に基づいて前記複数回の走査の中で前記単位画素にインクを付与する走査を前記インク毎に決定する決定工程を備え、
前記決定工程では、前記特定インクと当該特定インク以外の非特定インクの付与量情報に基づいて前記特定インクを付与する走査を決定し、前記非特定インクの付与量情報に基づいて前記非特定インクを付与する走査を決定することを特徴とするインクジェット記録方法。
【請求項１５】
特定インクを含む複数のインクを付与するための記録ヘッドの複数回の走査によって記録媒体の単位画素に記録を行うためのインクジェット記録装置と、当該インクジェット記録装置に対して前記記録を行うための情報を供給するためのホスト装置と、を含む記録システムであって、
前記単位画素に付与される各インクの量に関する付与量情報を前記単位画素毎に取得する取得手段と、
前記取得手段により取得した付与量情報に基づいて前記複数回の走査の中で前記単位画素にインクを付与する走査を前記インク毎に決定する決定手段を備え、
前記決定手段は、前記特定インクと当該特定インク以外の非特定インクの付与量情報に基づいて前記特定インクを付与する走査を決定し、前記非特定インクの付与量情報に基づいて前記非特定インクを付与する走査を決定することを特徴とする記録システム。
【請求項１６】
特定インクを含む複数のインクを付与するための記録ヘッドの複数回の走査によって記録媒体の単位画素に記録を行うための処理をコンピュータに実行させるプログラムであって、
前記処理は、前記単位画素に付与される各インクの量に関する付与量情報を前記単位画素毎に取得する取得工程と、
前記取得工程において取得した付与量情報に基づいて前記複数回の走査の中で前記単位画素にインクを付与する走査を前記インク毎に決定する決定工程を備え、
前記決定工程では、前記特定インクと当該特定インク以外の非特定インクの付与量情報に基づいて前記特定インクを付与する走査を決定し、前記非特定インクの付与量情報に基づいて前記非特定インクを付与する走査を決定することを特徴とするプログラム。
【手続補正２】
【補正対象書類名】明細書
【補正対象項目名】００２４
【補正方法】変更
【補正の内容】
【００２４】
さらに、特定インクを含む複数のインクを付与するための記録ヘッドの複数回の走査によって記録媒体の単位画素に記録を行うための処理をコンピュータに実行させるプログラムであって、前記処理は、前記単位画素に付与される各インクの量に関する付与量情報を前記単位画素毎に取得する取得工程と、前記取得工程において取得した付与量情報に基づいて前記複数回の走査の中で前記単位画素にインクを付与する走査を前記インク毎に決定する決定工程を備え、前記決定工程では、前記特定インクと当該特定インク以外の非特定インクの付与量情報に基づいて前記特定インクを付与する走査を決定し、前記非特定インクの付与量情報に基づいて前記非特定インクを付与する走査を決定することを特徴とする。